(57)【要約】【課題】光接続箱の大幅な小型化を実現でき、かつ多方向分岐が可能な光接続箱提供する。【解決手段】導入光ケーブル３から取り出した分岐心線３ａとこれに接続しようとする接続心線５ａとを接続する分岐接続部３９及び余長を収納する上段のヒンジ式可動の接続部用トレイ３６と、単に通過させる通過心線３ｂを収納する中段のヒンジ式可動の通過心線用トレイ３１と、接続部用トレイ３６から導いた接続心線５ａを複数の分岐方向に分配導出する下段の固定の光ファイバ分配用トレイ２４とを備えている。単に接続部用トレイ３６と通過心線用トレイ３１とを積層するだけでなく、その下段に光ファイバ分配用トレイ２４が光ファイバ心線５ａの分配処理のためのスペースとなるので、横並び配置のものや単なる２層積層のものと比べて、大幅な小型化を実現でき、また、３方向分岐が可能となる。【選択図】図２
2008009093.tif 000002
【特許請求の範囲】
【請求項１】
光接続箱本体内に導入された光ケーブルから取り出し切断した分岐心線とこれに接続しようとする接続心線とを接続する分岐接続部及びその近傍の余長を収納する上段のヒンジ式可動の接続部用トレイと、前記光ケーブルから単に取り出した通過心線を収納する中段のヒンジ式可動の通過心線用トレイと、前記接続部用トレイから導いた前記接続心線を当該光接続箱本体から複数の分岐方向に分配導出する下段の固定の光ファイバ分配用トレイとを備えたことを特徴とする光ケーブル分岐用の光接続箱。
【請求項２】
前記光ファイバ分配用トレイに、接続部用トレイから導いた前記接続心線を巻き付ける円筒状の巻付け部を設け、この巻付け部から光接続箱本体の三方の辺に向かって接続心線を導出可能にしたことを特徴とする請求項１記載の光ケーブル分岐用の光接続箱。
【請求項３】
前記中段の通過心線用トレイは、ヒンジ軸側を除く３辺の側壁からなる平面視概ねコ字形側壁を有することを特徴とする請求項１記載の光ケーブル分岐用の光接続箱。
【請求項４】
前記光ファイバ分配用トレイは、ヒンジ軸側を除く３辺の側壁に接続心線導出用の開口を有することを特徴とする請求項１記載の光ケーブル分岐用の光接続箱。
【発明の詳細な説明】
【技術分野】
【０００１】
この発明は、主としてマンション、オフィスビル等の縦系配線における各階の分岐接続箇所等に適用して好適な光ケーブル分岐用の光接続箱に関し、特に省スペース設置の要求に対応可能な光接続箱に関する。
【背景技術】
【０００２】
この種の光接続箱として図１１に示すものがある。この光接続箱１は、壁取り付け型の光接続箱であり、垂直なベース面を持つ光接続箱本体２の左側の上下部で導入光ケーブル３を固定（固定部を４で示す）し、右側の上下部で接続光ケーブル５を固定（固定部を６で示す）し、そして、高さ方向中央部近傍において、通過心線用トレイ７および接続部用トレイ８を横並びに配置している。
導入光ケーブル３から取り出した光ファイバ心線のうち、分岐しようとする光ファイバ心線（分岐心線３ａ）は、これを切断して導出側の光ファイバ心線（接続心線５ａ）と接続部用トレイ８内で融着接続し、単に通過させる光ファイバ心線（通過心線３ｂ）は、その余長を通過心線用トレイ７に収納する。この光接続箱１における分岐方向（接続光ケーブル５の導出方向）は光接続箱本体２の上下の２方向のみである（ケーブル導出口を９で示す）。
【０００３】
また、図１２に示した光接続箱１１は、光接続箱本体１２の左側の上下部で導入光ケーブル３を固定（固定部を４で示す）し、右側の上下部で接続光ケーブル５を固定（固定部を６で示す）している点は、前記と同様であるが、光接続箱本体１２のベース面１２ａに直接配置した通過心線用トレイ１７の上に接続部用トレイ１８を積層するとともに、接続部用トレイ１８は下部のヒンジ軸（接続部用トレイ１８を保持しているトレイ保持板１８ｂのヒンジ軸）１８ａにて下方に開放可能にしている。この光接続箱１１においても、分岐方向は光接続箱本体１２の上下の２方向のみである（ケーブル導出口を１９で示す）。
【０００４】
上記のように従来の各光接続箱１、１１は、接続部用トレイ８、１８から引き出した接続心線５ａを直接、ケーブル導出口９、１９に導く構造である。
【特許文献１】特開２００４−３５４５３６の図１２、段落番号[０００２]、図４、段落番号[００１４]等。
【発明の開示】
【発明が解決しようとする課題】
【０００５】
マンション、オフィスビル等において、縦系配線における各階の分岐接続箇所等に光接続箱を設置して各階のユーザに光ファイバ配線をしようとする場合、光接続箱を設置するための広いスペースを取ることができない場合がしばしばあるので、光接続箱の小型化が望まれている。図１２の光接続箱１１は、通過心線用トレイ１７と接続部用トレイ１８とを積層したことで、図１１の横並び配置の光接続箱１と比べてコンパクトにすることができるが、一層の小型化が望まれる。
また、光接続箱から導出される接続光ケーブルの分岐方向に制約がある場合も多々あるが、上記の各光接続箱１、１１は分岐方向が上下の２方向のみであり、可能な分岐方向をさらに多くできることが望まれる。
【０００６】
本発明は上記従来の従来の欠点を解消するためになされたもので、光接続箱の大幅な小型化を実現するとともに、さらなる多方向分岐を可能にする光ケーブル分岐用の光接続箱を提供することを目的とする。
【課題を解決するための手段】
【０００７】
上記課題を解決する本発明の光ケーブル分岐用の光接続箱は、光接続箱本体内に導入された光ケーブルから取り出し切断した分岐心線とこれに接続しようとする接続心線とを接続する分岐接続部及びその近傍の余長を収納する上段のヒンジ式可動の接続部用トレイと、前記光ケーブルから単に取り出した通過心線を収納する中段のヒンジ式可動の通過心線用トレイと、前記接続部用トレイから導いた前記接続心線を当該光接続箱本体から複数の分岐方向に分配導出する下段の固定の光ファイバ分配用トレイとを備えたことを特徴とする。
【０００８】
請求項２は、請求項１の光接続箱における光ファイバ分配用トレイに、接続部用トレイから導いた接続心線を巻き付ける円筒状の巻付け部を設け、この巻付け部から光接続箱本体の三方の辺に向かって接続心線を導出可能にしたことを特徴とする。
【０００９】
請求項３は、請求項１の光接続箱における中段の通過心線用トレイが、ヒンジ軸側を除く３辺の側壁からなる平面視概ねコ字形側壁を有することを特徴とする。
【００１０】
請求項４は、請求項１の光接続箱における光ファイバ分配用トレイが、ヒンジ軸側を除く３辺の側壁に接続心線導出用の開口を有することを特徴とする。
【発明の効果】
【００１１】
本発明によれば、単に接続部用トレイと通過心線用トレイとを積層するだけでなく、その２つのトレイをいずれもヒンジ式可動にして、その下に光ファイバ心線の分配処理のためのスペースを設けて分配処理専用の固定の光ファイバ分配用トレイとしたので、横並び配置のものや単なる２層積層のものと比べて、大幅な小型化を実現できる。
この場合、光ファイバ分配用トレイを下段で固定トレイ、通過心線用トレイを中段でヒンジ式可動トレイ、接続部用トレイを上段でヒンジ式可動トレイという積層順序にしたことで、３層積層構造にしても分岐接続作業に支障が生じない構成となっている。
【発明を実施するための最良の形態】
【００１２】
以下、本発明を実施した光ケーブル分岐用の光接続箱について、図面を参照して説明する。
【実施例１】
【００１３】
図１は本発明の一実施例の光ケーブル分岐用の光接続箱２１の簡略化して示した斜視図、図２は前記光接続箱２１の概略断面図である。この光接続箱２１は壁取り付け型であり、後述の図５〜図１０における上下が実際の上下となるように設置される。これらの図において、符号２２は光接続箱本体である。この光接続箱本体２２のベース面２２ａは光ファイバ分配用トレイ２４を兼ねる。光ファイバ分配用トレイ２４は図３や図５にも示すように、中央近傍に後述する接続部用トレイ３６から導いた接続心線５ａを巻き付ける円筒状の巻き付け部２５を備え、この巻き付け部２５から図示例では、接続箱本体２２の三方の辺に向かって接続心線５ａを導出可能にしている。すなわち光接続箱本体２２の図５で上下の側壁２２ｂ、２２ｃと右側の側壁２２ｄとの三方の側壁に接続心線導出用の開口２２ｅ、２２ｆ、２２ｇを設けている。各開口２２ｅ、２２ｆ、２２ｇに臨んで、導出する接続心線５ａを保持する接続心線保持部２６を設けている。
前記巻き付け部２５には、接続心線５ａが外れないための舌片２５ａを四箇所に設けている。導入光ケーブル３は、光接続箱本体２２の図５で左側の上下部から導入される。２７はテンションメンバ固定部である。
【００１４】
光接続箱本体２２のベース面２２ａすなわち光ファイバ分配トレイ２４の上に通過心線用トレイ３１が積層されている。通過心線用トレイ３１は、図６〜図９などにも示すように、導入光ケーブル３側の辺（図６などで左側の辺）にヒンジ軸３２を有して回動可能であり、また、このヒンジ軸３２側を除く三辺に側壁を有している。すなわち、３辺の側壁からなる概ね平面コの字型側壁３１ａを有している。ただし上下の側壁のヒンジ軸３２側には、通過心線３ｂの引き回しに障害とならないように側壁は設けていない。
また、この通過心線用トレイ３１の側壁３１ａの付け根部分にはやや大きなＲ（アール）をつけて周囲の配線ルート（光ファイバ分配用トレイ上の配線ルート）を確保するようにしている。
【００１５】
通過心線３ｂは図６〜図９のようにして、通過心線用トレイ３１上に収容される。すなわち、通過心線用トレイ３１を光ファイバ分配用トレイ２４の上に積層した状態（図４や図６の状態など）で、通過心線３ｂを図６のように大きなループを形成し、次いで図７のようにひねって８の字形のループ（３ｂ’、３ｂ”）を形成し、ついで図８のように８の字形ループのうちの先端側ループ３ｂ”を基端側ループ３ｂ’の下側に潜らすようにし、次いで、図９のように８の字形の先端側ループ３ｂ”と基端側ループ３ｂ’とが重なるような小さなループにして、通過心線用トレイ３１上に収納する。通過心線３ｂは複数本であるが、図では適宜１本の線で示している。図４及び図９は、通過心線３ｂを通過心線用トレイ３１上に収納した状態を示す。
【００１６】
通過心線用トレイ３１の上に、予め処理を済ませた接続部用トレイ３６が図２あるいは図１０のように積層される。接続部用トレイ３６は、周囲に側壁３７を有し、接続箱本体２２の導入光ケーブル３のある側（図１０で左側）の側壁２２ｈにヒンジ３８を介して回動可能に取り付けられている。また、接続部用トレイ３６内への心線出入り口３６ａに隣接して円筒状の余長巻き付け部４１を備え、その横に融着接続部保持部４２を配置している。余長巻き付け部４１には、舌片４１ａを設け、側壁３７には内側に突出する舌片３７ａを設けている。分岐心線３ａと融着接続された接続心線５ａは下段の光ファイバ分配用トレイ２４に導かれて、前述の通り、３方向に導出される。
【００１７】
上記の光接続箱２１における分岐接続作業について簡単に説明すると、まず、導入光ケーブル３をその通過心線３ｂを除いて切断し、テンションメンバ３ｃをテンションメンバ固定部２７に固定する。導入光ケーブル３の分岐心線３ａと接続光ケーブル５の接続心線５ａとを融着接続し、融着接続部３９は融着接続保持部４２に嵌合させて保持し、余長は余長巻き付け部４１に巻き付ける。この接続部用トレイ３６上の処理を予め行った後、図３の状態で光ファイバ分配用トレイ２４上の光ファイバ分配作業を行う。その際、分岐心線３ａと融着接続した接続心線５ａを上段の接続部用トレイ３６から導いて、巻き付け部２５に巻き付け、この巻き付け部２５から前述のように例えば３方向に導出する。
次いで、通過心線用トレイ３１を光ファイバ分配用トレイ２４上（巻き付け部２５上）に載せ、前述のようにして通過心線３ｂの処理をし、次いで、既に処理を済ませている接続部用トレイ３６を通過心線用トレイ３１の上に載せ、次いで、蓋（図２に２点鎖線で簡略化して示す）３５を被せると、分岐接続作業が完了する。
【００１８】
上記の光接続箱２１では、単に接続部用トレイ３６と通過心線用トレイ３１とを積層しただけでなく、その２つのトレイ３６、３１をいずれもヒンジ式可動にして、その下に光ファイバ心線の分配処理のためのスペースを設けて分配処理専用の固定の光ファイバ分配用トレイ２４としているので、横並び配置のものや単なる２層積層のものと比べて、大幅な小型化を実現できる。
この場合、光ファイバ分配用トレイ２４を下段で固定トレイ、通過心線用トレイ３１を中段でヒンジ式可動トレイ、接続部用トレイ３６を上段でヒンジ式可動トレイという積層順序にしたことで、３層積層構造にしても分岐接続作業に支障が生じない構成となっている。
【００１９】
一般に、マンションやオフィスビルに光ケーブル分岐用の光接続箱を設置する場合、設置後にさらに分岐心線数を増す必要が生じること、すなわち後分岐接続作業が必要になることを考慮する。したがって、後分岐接続の作業性を考慮した構造とする。このため、従来は図１１や図１２のように、接続部用トレイ８、１８から引き出した接続心線５ａを直接、ケーブル導出口９、１９に導く構造として、光接続箱内部の接続心線５ａの配線ルートを明確にしている。
これに対して、上記の光接続箱２１では、接続部用トレイ３６から引き出した接続心線５ａが直接にケーブル導出口に向かわないので、光接続箱内部の接続心線５ａの配線ルートは明確でなく、後分岐接続作業の際には作業性が悪いとも言える。
しかし、光接続箱がマンションやオフィスビルの縦系配線における各階の分岐接続箇所に設置されるものである場合、ビル建設時、あるいは、最初にケーブルを布設するときに工事を完了するのが通常であり、設置後にさらに追加の分岐接続が必要となることは少ない。後分岐接続作業が必要となることが少ないのであれば、後分岐接続の作業性を考慮する必要性も低い。
このため、特に、本発明をマンションやオフィスビルの縦系配線における各階の分岐接続箇所に設置される光接続箱に適用する場合は、後分岐接続作業性の不利が実際には現れないので実質的に不利とならず、小型化された利点、及び、多方向分岐が可能になった利点のみが大きく活かされる。
【図面の簡単な説明】
【００２０】
【図１】本発明の一実施例の光接続箱の簡略して示した斜視図である。
【図２】上記の光接続箱の概略断面図であり、かつ、分岐接続作業の図４に続く作業完了状態の概略断面図である。
【図３】上記の光接続箱における分岐接続作業の途中段階を示す概略断面図である。
【図４】上記の光接続箱における分岐接続作業の図３に続く段階を示す概略断面図である。
【図５】概ね図３の概略平面図であり、３段積層トレイにおける下段の光ファイバ分配用トレイの概略平面図である。
【図６】上記光接続箱における分岐接続作業の図９に到る途中段階の概略平面図であり、主に通過心線用トレイが示された平面図である。
【図７】上記光接続箱における分岐接続作業の図９に到る途中の、図６に続く段階の概略平面図であり、主に通過心線用トレイが示された平面図である。
【図８】上記光接続箱における分岐接続作業の図９に到る途中の、図７に続く段階の概略平面図であり、主に通過心線用トレイが示された平面図である。
【図９】概ね図４の概略平面図であり、主に通過心線用トレイが示された平面図である。
【図１０】概ね図２の概略平面図であり、主に接続部用トレイが示された平面図である。
【図１１】従来の光接続箱の正面図である。
【図１２】従来の他の光接続箱の正面図である。
【符号の説明】
【００２１】
３  導入光ケーブル
３ａ  分岐心線
３ｂ  通過心線
３ｃ  テンションメンバ
５  接続光ケーブル
５ａ  接続心線
２１  光接続箱
２２  光接続箱本体
２２ａ  ベース面
２２ｂ、２２ｃ、２２ｄ、２２ｈ  側壁
２２ｅ、２２ｆ、２２ｇ  開口
２４  （下段の固定の）光ファイバ分配用トレイ
２５    巻き付け部
２６  接続心線保持部
２７  テンションメンバ固定部
３１  （中段のヒンジ式可動の）通過心線用トレイ
３１ａ  側壁
３２  ヒンジ軸
３５  蓋
３６  （上段のヒンジ式可動の）接続部用トレイ
３６ａ  心線出入り口
３７  側壁
３８  ヒンジ部
３９  融着接続部
４１  巻き付け部
４１ａ  舌片
４２  融着接続部保持部
【図１】
2008009093.tif 000003
【図２】
2008009093.tif 000004
【図３】
2008009093.tif 000005
【図４】
2008009093.tif 000006
【図５】
2008009093.tif 000007
【図６】
2008009093.tif 000008
【図７】
2008009093.tif 000009
【図８】
2008009093.tif 000010
【図９】
2008009093.tif 000011
【図１０】
2008009093.tif 000012
【図１１】
2008009093.tif 000013
【図１２】
2008009093.tif 000014